(57)【要約】【課題】通信装置の親機・子機の種別や配置場所に応じて、分岐点でのインピーダンス整合を図るモードと、伝送路と通信装置とのインピーダンス整合を図るモードとを選択設定することのできるマルチドロップ通信用アダプタを得ること。【解決手段】ポート１０，１１，１２は伝送路接続用のポートであり、ポート１３は通信装置接続用のポートである。ハイブリッド回路２は、ポート１４への入力信号をポート１５，１６に等分配し、ポート１５，１６への各入力信号はポート１４にのみ伝達する。モード切替回路６は、通信装置の親機・子機の種別や配置場所に応じて、ポート１６とポート１９とを接続して分岐点でのインピーダンス整合を図るモードと、ポート１６とポート１８とを接続して伝送路と通信装置とのインピーダンス整合を図るモードとを選択設定する。【選択図】        図１
2009130500.tif 000002
【特許請求の範囲】
【請求項１】
伝送路であるペアケーブルが接続される第１，第２，第３のポート、及び通信装置がペアケーブルを介して接続される或いは前記通信装置の送受信部に直接接続される第４のポートと、
３つの入出力ポートＡ，Ｂ，Ｃのうち、前記入出力ポートＡへの入力を前記入出力ポートＢ，Ｃに分配伝達し、前記入出力ポートＢと前記入出力ポートＣへの各入力を前記入出力ポートＡにのみ伝達するハイブリッド回路と、
３つの入出力ポートＤ，Ｅ，Ｆのうち、前記入出力ポートＤが前記第３のポートに接続され、前記入出力ポートＥが前記入出力ポートＣに接続され、前記入出力ポートＦが前記第４のポートに接続され、前記入出力ポートＦと前記入出力ポートＥとを接続したハイブリッドモードと、前記入出力ポートＦと前記入出力ポートＤとを接続したシングルモードとを実現するモード切替回路と、
前記第１のポートと前記入出力ポートＡとの間、前記第２のポートと前記入出力ポートＢとの間、及び前記第４のポートと前記入出力ポートＦとの間、の全部または一部に、インピーダンス変換等の必要に応じて介挿されるトランスと、
を備えていることを特徴とするマルチドロップ通信用アダプタ。
【請求項２】
伝送路であるペアケーブルが接続される第１，第２，第３のポート、電力線通信装置が電力線を介して接続される或いは前記電力線通信装置の送受信部に直接接続される第４のポート、及び商用電源が接続される第５のポートと、
３つの入出力ポートＡ，Ｂ，Ｃのうち、前記入出力ポートＡへの入力を前記入出力ポートＢ，Ｃに分配伝達し、前記入出力ポートＢと前記入出力ポートＣへの各入力を前記入出力ポートＡにのみ伝達するハイブリッド回路と、
３つの入出力ポートＤ，Ｅ，Ｆのうち、前記入出力ポートＤが前記第３のポートに接続され、前記入出力ポートＥが前記入出力ポートＣに接続され、前記入出力ポートＦが前記第４のポートに接続され、前記入出力ポートＦと前記入出力ポートＥとを接続したハイブリッドモードと、前記入出力ポートＦと前記入出力ポートＤとを接続したシングルモードと、を実現するモード切替回路と、
前記第５のポートと前記第４のポートとの間に介挿される低域通過フィルタと、
前記第４のポートに一端が接続される高域通過フィルタと、
前記第１のポートと前記入出力ポートＡとの間、前記第２のポートと前記入出力ポートＢとの間、及び前記高域通過フィルタの他端と前記入出力ポートＦとの間、の全部または一部に、インピーダンス変換等の必要に応じて介挿されるトランスと、
を備えていることを特徴とするマルチドロップ通信用アダプタ。
【請求項３】
ペアケーブルで構成される伝送路に、親機である１台の通信装置または１台の電力線通信装置と、子機である複数台の通信装置または複数台の電力線通信装置とが、請求項１または２に記載のマルチドロップ通信用アダプタを介して接続されるマルチドロップ通信システムであって、
親機が前記伝送路の一端側に配置され、各子機が前記伝送路の他端側までにそれぞれ配置される場合に、前記伝送路の両端位置における前記マルチドロップ通信用アダプタは、それぞれ前記シングルモードに設定され、途中の各分岐点に位置する前記マルチドロップ通信用アダプタは、それぞれ前記ハイブリッドモードに設定されている、
ことを特徴とするマルチドロップ通信システム。
【請求項４】
ペアケーブルで構成される伝送路に、親機である１台の通信装置または１台の電力線通信装置と、子機である複数台の通信装置または複数台の電力線通信装置とが、それぞれ請求項１または２に記載のマルチドロップ通信用アダプタを介して接続されるマルチドロップ通信システムであって、
親機が前記伝送路の途中位置に配置され、各子機が前記伝送路の両端から前記親機の配置位置までにそれぞれ配置される場合に、前記伝送路の両端位置における前記マルチドロップ通信用アダプタと前記親機に対する前記マルチドロップ通信用アダプタとは、それぞれ前記シングルモードに設定され、その他の各子機に対する前記マルチドロップ通信用アダプタは、それぞれ前記ハイブリッドモードに設定されている、
ことを特徴とするマルチドロップ通信システム。
【請求項５】
伝送路であるペアケーブルが接続される第１，第２のポート、及び通信装置がペアケーブルを介して接続される或いは前記通信装置の送受信部に直接接続される第３のポートと、
３つの入出力ポートＡ，Ｂ，Ｃのうち、前記入出力ポートＡへの入力を前記入出力ポートＢ，Ｃに分配伝達し、前記入出力ポートＢと前記入出力ポートＣへの各入力を前記入出力ポートＡにのみ伝達するハイブリッド回路と、
前記第１のポートと前記入出力ポートＡとの間、前記第２のポートと前記入出力ポートＢとの間、及び前記第３のポートと前記入出力ポートＣとの間、の全部または一部に、インピーダンス変換等の必要に応じて介挿されるトランスと、
を備えていることを特徴とするマルチドロップ通信用アダプタ。
【請求項６】
伝送路であるペアケーブルが接続される第１，第２のポート、電力線通信装置が電力線を介して接続される或いは前記電力線通信装置の送受信部に直接接続される第３のポート、及び商用電源線が接続される第４のポートと、
３つの入出力ポートＡ，Ｂ，Ｃのうち、前記入出力ポートＡへの入力を前記入出力ポートＢ，Ｃに分配伝達し、前記入出力ポートＢと前記入出力ポートＣへの各入力を前記入出力ポートＡにのみ伝達するハイブリッド回路と、
前記第４のポートと前記第３のポートとの間に介挿される低域通過フィルタと、
前記第３のポートに一端が接続される高域通過フィルタと、
前記第１のポートと前記入出力ポートＡとの間、前記第２のポートと前記入出力ポートＢとの間、及び前記高域通過フィルタの他端と前記入出力ポートＣとの間、の全部または一部に、インピーダンス変換等の必要に応じて介挿されるトランスと、
を備えていることを特徴とするマルチドロップ通信用アダプタ。
【請求項７】
伝送路であるペアケーブルが接続される第１，第２のポート、及び通信装置がペアケーブルを介して接続される或いは前記通信装置の送受信部に直接接続される第３のポート
と、
３つの入出力ポートＡ，Ｂ，Ｃのうち、前記入出力ポートＡへの入力を前記入出力ポートＢ，Ｃに分配伝達し、前記入出力ポートＢと前記入出力ポートＣへの各入力を前記入出力ポートＡにのみ伝達するハイブリッド回路と、
前記第１のポートと前記入出力ポートＢとの間、前記第２のポートと前記入出力ポートＣとの間、及び前記第３のポートと前記入出力ポートＡとの間、の全部または一部に、インピーダンス変換等の必要に応じて介挿されるトランスと、
を備えていることを特徴とするマルチドロップ通信用アダプタ。
【請求項８】
伝送路であるペアケーブルが接続される第１，第２のポート、電力線通信装置が電力線を介して接続される或いは前記電力線通信装置の送受信部に直接接続される第３のポート、及び商用電源線が接続される第４のポートと、
３つの入出力ポートＡ，Ｂ，Ｃのうち、前記入出力ポートＡへの入力を前記入出力ポートＢ，Ｃに分配伝達し、前記入出力ポートＢと前記入出力ポートＣへの各入力を前記入出力ポートＡにのみ伝達するハイブリッド回路と、
前記第４のポートと前記第３のポートとの間に介挿される低域通過フィルタと、
前記第３のポートに一端が接続される高域通過フィルタと、
前記第１のポートと前記入出力ポートＢとの間、前記第２のポートと前記入出力ポートＣとの間、及び前記高域通過フィルタの他端と前記入出力ポートＡとの間、の全部または一部に、インピーダンス変換等の必要に応じて介挿されるトランスと、
を備えていることを特徴とするマルチドロップ通信用アダプタ。
【請求項９】
親機である１台の通信装置または１台の電力線通信装置がペアケーブルで構成される伝送路の一端側に配置され、子機である複数台の通信装置または複数台の電力線通信装置が前記伝送路の他端側までにそれぞれ配置されるマルチドロップ通信システムであって、
前記親機及び前記各子機は、それぞれ請求項５または６に記載のマルチドロップ通信用アダプタを介して前記伝送路に接続されている
ことを特徴とするマルチドロップ通信システム。
【請求項１０】
親機である１台の通信装置または１台の電力線通信装置がペアケーブルで構成される伝送路の途中位置に配置され、子機である複数台の通信装置または複数台の電力線通信装置が前記伝送路の両端から前記親機の配置位置までにそれぞれ配置されるマルチドロップ通信システムであって、
前記親機は、請求項７または８に記載のマルチドロップ通信用アダプタを介して前記伝送路に接続され、
前記各子機は、それぞれ請求項５または６に記載のマルチドロップ通信用アダプタを介して前記伝送路に接続されている
ことを特徴とするマルチドロップ通信システム。
【発明の詳細な説明】
【技術分野】
【０００１】
この発明は、マルチドロップ通信用アダプタ及び前記マルチドロップ通信用アダプタを適用したマルチドロップ通信システムに関するものである。
【背景技術】
【０００２】
マルチドロップ通信システムは、親機通信装置と複数の子機通信装置とが共通の伝送路を介して通信する１対Ｎの通信システムであるが、従来では、伝送路の終端抵抗値をその伝送路の特性インピーダンスと同じ値にして整合を取る（例えば特許文献１）、或いは、伝送路の端部に接続される通信装置が終端処理し、その伝送路上にマルチドロップ方式で接続される各通信装置が、伝送路の特性インピーダンスよりも充分に大きいインピーダンスを有するようにして、伝送路途中の各分岐点でのインピーダンス不整合による信号反射を防止するようにしている。
【０００３】
【特許文献１】特開２００１−２２３１１５号公報
【発明の開示】
【発明が解決しようとする課題】
【０００４】
逆に言えば、従来のマルチドロップ通信システムでは、伝送路にマルチドロップ方式で接続される各通信装置の有するインピーダンスが、伝送路の特性インピーダンスよりも充分に大きいインピーダンスではなく、伝送路の特性インピーダンスに近い値であるなど、相当に低いインピーダンスである場合、具体的には、各分岐点に配置される各通信装置が終端抵抗器を有している場合には、各分岐点では、インピーダンスの整合が取れず、信号反射が発生する。
【０００５】
また、分岐点から通信装置までの距離が、その通信装置が使用している信号の周波数の波長に比べて無視できない程度に長い場合も同様に、各分岐点では、インピーダンスの整合が取れず、信号反射が発生する。
【０００６】
この発明は、上記に鑑みてなされたものであり、通信装置の親機・子機の種別や配置場所に応じて、分岐点でのインピーダンス整合を図るモードと、伝送路と通信装置とのインピーダンス整合を図るモードとを選択設定することのできるマルチドロップ通信用アダプタを得ることを目的とする。
【０００７】
また、この発明は、上記発明のマルチドロップ通信用アダプタを適用して、各通信装置が終端を有していても、または、分岐点から通信装置までの距離が無視できない程度に相当に長い場合でも、分岐点でのインピーダンスを整合させて信号反射を抑制でき、伝送路の端部での信号損失を必要最小限に抑えることを可能にするマルチドロップ通信システムを得ることを目的とする。
【課題を解決するための手段】
【０００８】
上述した目的を達成するために、この発明にかかるマルチドロップ通信用アダプタは、伝送路であるペアケーブルが接続される第１，第２，第３のポート、及び通信装置がペアケーブルを介して接続される或いは前記通信装置の送受信部に直接接続される第４のポートと、３つの入出力ポートＡ，Ｂ，Ｃのうち、前記入出力ポートＡへの入力を前記入出力ポートＢ，Ｃに分配伝達し、前記入出力ポートＢと前記入出力ポートＣへの各入力を前記入出力ポートＡにのみ伝達するハイブリッド回路と、３つの入出力ポートＤ，Ｅ，Ｆのうち、前記入出力ポートＤが前記第３のポートに接続され、前記入出力ポートＥが前記入出力ポートＣに接続され、前記入出力ポートＦが前記第４のポートに接続され、前記入出力ポートＦと前記入出力ポートＥとを接続したハイブリッドモードと、前記入出力ポートＦと前記入出力ポートＤとを接続したシングルモードとを実現するモード切替回路と、前記第１のポートと前記入出力ポートＡとの間、前記第２のポートと前記入出力ポートＢとの間、及び前記第４のポートと前記入出力ポートＦとの間の全部または一部に、インピーダンス変換等の必要に応じて介挿されるトランスとを備えていることを特徴とする。
【発明の効果】
【０００９】
この発明によれば、モード切替回路によって、予め、ハイブリッドモードと、シングルモードとに設定することができる。マルチドロップ通信システムにおいて、ハイブリッドモードは、分岐点でのインピーダンス整合を図るモードであり、伝送路の各分岐点に配置される通信装置が子機である場合に設定される。また、シングルモードは、伝送路と通信装置とのインピーダンス整合を図るモードであり、通信装置が親機である場合と、伝送路の端部に配置される通信装置が子機である場合とに設定される。このように、通信装置が親機であるか子機であるかの種別や配置場所に応じて、分岐点でのインピーダンス整合を図るモードと伝送路と通信装置とのインピーダンス整合を図るモードとを選択設定することができるという効果を奏する。
【発明を実施するための最良の形態】
【００１０】
以下に図面を参照して、この発明にかかるマルチドロップ通信用アダプタ及びマルチドロップ通信システムの好適な実施の形態を詳細に説明する。
【００１１】
実施の形態１．
図１は、この発明の実施の形態１によるマルチドロップ通信用アダプタの構成を示すブロック図である。図１に示すように、マルチドロップ通信用アダプタ（以降、単に「アダプタ」と略記する）１は、回路要素として、ハイブリッド回路２と、トランス３，４，５と、モード切替回路６とを備えている。そして、外部との接続部として、ポート１０，１１，１２，１３の４ポートを備えている。
【００１２】
この４ポートのうち、ポート１０，１１，１２は、伝送路であるペアケーブルの接続部であり、ポート１３は、通信装置の送受信部に対する接続部である。ポート１３と通信装置の送受信部との接続関係として、この実施の形態では、ポート１３は、通信装置の送受信部がペアケーブルを介して接続されるとして説明するが、アダプタ１の全体を通信装置に組み込むことは、当然に可能であるので、この場合には、ポート１３は、通信装置の送受信部に直接接続されることになる。つまり、ポート１０，１１，１２，１３は、それぞれ請求項１における第１，第２，第３及び第４のポートに対応している。
【００１３】
ハイブリッド回路２は、２線・４線の変換を行う信号の入出力ポートとして、ポート１４，１５，１６の３ポートを備えている。この３ポートのうち、ポート１４は、トランス３を介してポート１０に接続され、ポート１５は、トランス４を介してポート１１に接続され、ポート１６は、モード切替回路６のポート１７に接続されている。なお、ポート１４，１５，１６は、それぞれ請求項１における入出力ポートＡ，Ｂ，Ｃに対応している。
【００１４】
また、モード切替回路６は、ハイブリッドモードとシングルモードとを選択して設定できる回路であり、信号の入出力ポートとして、上記のポート１７に加えて、ポート１８，１９の３ポートを備えている。ポート１８は、ポート１２に接続され、ポート１９は、トランス５を介してポート１３に接続されている。なお、ポート１７，１８，１９は、それぞれ請求項１における入出力ポートＤ，Ｅ，Ｆに対応している。
【００１５】
ここで、ハイブリッド回路２では、ポート１４に入力した信号は、ポート１５とポート１６とに等しく２分配される。そして、ポート１５とポート１６との間では、高いアイソレーション処理が施されているので、ポート１５，１６に入力した各信号は、ポート１４にのみ伝達される。
【００１６】
このハイブリッド回路２におけるポート１４，１５，１６の各ポートは、インピーダンスが規定されている。トランス３，４，５は、それらのインピーダンスと、ポート１０，１１，１３に接続されるペアケーブルの特性インピーダンスまたは通信装置のインピーダンスとを整合させるインピーダンス変換を行う手段として設けてある。
【００１７】
また、ハイブリッド回路２が、シングルエンドの不平衡回路で構成されている場合に、ポート１０，１１，１３に接続されるペアケーブルまたは通信装置が差動の平衡伝送を行うので、トランス３，４，５は、そのような平衡・不平衡の変換動作を行う手段として設けてある。
【００１８】
換言すれば、ハイブリッド回路２とポート１０，１１，１３或いは通信装置との間でインピーダンス変換が不要である場合や、平衡・不平衡の変換動作が不要である場合には、トランス３，４，５の全部または一部は、設けなくともよいことになる。要するに、この実施の形態では、トランス３，４，５の全部が存在するとして説明するが、トランス３，４，５の全部または一部は、必要に応じて設けられる。
【００１９】
次に、以上のように構成されるアダプタ１が実現するハイブリッドモードとシングルモードとについて説明する。
【００２０】
ハイブリッドモードは、モード切替回路６が、ポート１８とポート１９との間を遮断して、ポート１７とポート１９とを接続するように設定することで実現される。この場合には、ハイブリッド回路２のポート１６は、モード切替回路６を介してトランス５に接続される。つまり、ハイブリッドモードでは、４つの外部接続部のうち、ポート１０，１１，１３を使用し、ポート１２は不使用となる。
【００２１】
ハイブリッドモードでの信号経路を説明すると、伝送路に接続されるポート１０から入力した信号は、トランス３にて、ハイブリッド回路２のポート１４のインピーダンスに整合させるインピーダンス変換されてそのポート１４に入力される。ポート１４に入力された信号は、ポート１５とポート１６とに等分配される。ポート１５に入力された信号は、トランス４にて、ポート１１に接続される伝送路の特性インピーダンスに整合させるインピーダンス変換されてそのポート１１へ送出され、ポート１６に入力された信号は、トランス５にて、ポート１３に接続される通信装置のインピーダンスに整合させるインピーダンス変換されてそのポート１３へ送出される。
【００２２】
また、伝送路に接続されるポート１１から入力した信号は、トランス４にて、ハイブリッド回路２のポート１５のインピーダンスに整合させるインピーダンス変換されてそのポート１５に入力される。ポート１５に入力された信号は、ポート１４にのみ伝達される。また、通信装置が接続されるポート１３から入力した信号は、トランス５にて、ハイブリッド回路２のポート１６のインピーダンスに整合させるインピーダンス変換されてそのポート１６に入力される。ポート１６に入力された信号は、ポート１４にのみ伝達される。ポート１４にポート１５，１６から入力した信号は、それぞれ、トランス３にて、ポート１０に接続される伝送路の特性インピーダンスに整合させるインピーダンス変換されてそのポート１０へ送出される。
【００２３】
このように、ハイブリッドモードに設定されるアダプタ１では、ポート１０，１１が接続される伝送路の接続点（分岐点）においてインピーダンス不整合が生じないようにする処理動作が行われる。つまり、伝送路との接続部はポート１０，１１の２つであるので、ハイブリッドモードは、伝送路の分岐点に配置される子機用に設定される。なお、ハイブリッド回路２では、信号の通過損失が生ずるので、ハイブリッドモードを使用した場合には、入出力信号に損失が発生する。
【００２４】
また、シングルモードは、モード切替回路６が、ポート１７とポート１９との間を遮断して、ポート１８とポート１９とを接続するように設定することで実現される。この場合には、ポート１２とポート１３とが、モード切替回路６及びトランス５を介して接続される。つまり、ハイブリッドモードでは、ハイブリッド回路２は、不使用となる。そして、４つの外部接続部のうち、ポート１０，１１は不使用となる。
【００２５】
シングルモードでの信号経路を説明すると、伝送路に接続されるポート１２から入力した信号は、トランス５にて、ポート１３に接続される通信装置のインピーダンスに整合させるインピーダンス変換されてそのポート１３へ送出される。また、通信装置が接続されるポート１３から入力した信号は、トランス５にて、ポート１２に接続される伝送路の特性インピーダンスに整合させるインピーダンス変換されてそのポート１２へ送出される。
【００２６】
このように、シングルモードに設定されるアダプタ１では、伝送路と通信装置との間でインピーダンス不整合が生じないようにする処理動作が行われる。伝送路との接続部はポート１２の１つであるので、シングルモードは、伝送路の端部や途中に配置される親機用に設定され、また伝送路の端部に配置される子機用に設定される。このシングルモードでは、ハイブリッド回路２は不使用であるので、入出力信号に損失は発生しない。
【００２７】
以上のように、この実施の形態１によれば、通信装置が親機であるか子機であるかの機能種別や配置場所に応じて、分岐点でのインピーダンス整合を図るモードと、伝送路と通信装置とのインピーダンス整合を図るモードとを選択設定することのできるマルチドロップ通信用アダプタを得ることができる。
【００２８】
以下、実施の形態２，３として、図１に示したアダプタ１を適用したマルチドロップ通信システムの構成例を示す。なお、この発明が対象とするマルチドロップ通信システムでは、各通信装置は、その送受信部に終端を備えている。
【００２９】
実施の形態２．
図２は、この発明の実施の形態２によるマルチドロップ通信システムの構成を示すシステム図である。この実施の形態２では、親機が伝送路の一端側に配置され、各子機が伝送路の他端側までにそれぞれ配置される場合を示す。
【００３０】
図１において、アダプタ１０−１，１０−２，１０−３，〜，１０−（ｎ−１），１０−ｎは、それぞれ、図１に示した構成を有している。その中で、アダプタ１０−１が伝送路の最左端部に配置され、アダプタ１０−ｎが伝送路の最右端部に配置され、アダプタ１０−２，１０−３，〜，１０−（ｎ−１）が途中の分岐点に配置されている。
【００３１】
伝送路の端部では信号の分岐はないので、伝送路の両端部に配置されるアダプタ１０−１，１０−ｎは、それぞれシングルモードに設定されている。したがって、伝送路接続用のポートはポート１２のみである。そして、伝送路の途中の分岐点では信号の分岐があるので、アダプタ１０−２，１０−３，〜，１０−（ｎ−１）は、それぞれ、ハイブリッドモードに設定されている。したがって、伝送路接続用のポートはポート１０，１１の２つである。
【００３２】
すなわち、アダプタ１０−１では、そのポート１２がペアケーブル３０−１を介して次段のアダプタ１０−２のポート１０に接続され、アダプタ１０−ｎでは、そのポート１２がペアケーブル３０−ｎを介して前段のアダプタ１０−（ｎ−１）のポート１１に接続されている。そして、アダプタ１０−２，１０−３，〜，１０−（ｎ−１）の相互間では、左端側からの接続態様で言えば、自装置のポート１１と相手装置のポート１０とが、ペアケーブル３０−２，３０−３，〜，３０−（ｎ−１）で接続されている。
【００３３】
図示例では、伝送路の最左端部に配置されるアダプタ１０−１のポート１３に接続される通信装置２０−１が親機であり、伝送路の最右端部に配置されるアダプタ１０−ｎのポート１３に接続される通信装置２０−１が子機である。そして、伝送路途中に配置されるアダプタ１０−２，１０−３，〜，１０−（ｎ−１）の各ポート１３に接続される通信装置２０−２，２０−３，〜，２０−（ｎ−１）は、それぞれ子機である。
【００３４】
以上の構成において、親機通信装置２０−１と子機通信装置２０−３との間での通信における信号の流れを説明する。
【００３５】
図２において、親機通信装置２０−１の送信信号は、シングルモードのアダプタ１０−１のポート１３に入力され、ポート１２からペアケーブル３０−１に出力される。ペアケーブル３０−１上の親機送信信号は、ハイブリッドモードのアダプタ１０−２のポート１０に入力され、ポート１１からペアケーブル３０−２に出力される。そして、ペアケーブル３０−２上の親機送信信号は、ハイブリッドモードのアダプタ１０−３のポート１０に入力され、ポート１３から子機通信装置２０−３に出力される。
【００３６】
逆に、子機通信装置２０−３の送信信号は、ハイブリッドモードのアダプタ１０−３のポート１３に入力され、ポート１０からペアケーブル３０−２に出力される。ペアケーブル３０−２上の子機送信信号は、ハイブリッドモードのアダプタ１０−２のポート１１に入力され、ポート１０からペアケーブル３０−１に出力される。そして、ペアケーブル３０−１上の子機送信信号は、シングルモードのアダプタ１０−１のポート１２に入力され、ポート１３から親機通信装置２０−１に出力される。
【００３７】
この場合、親機通信装置２０−１が接続されるアダプタ１０−１は、シングルモードに設定されているので、伝送路と送受する信号の損失を少なくすることができる。このことは、伝送路の最右端に配置される子機通信装置２０−ｎが接続されるアダプタ１０−ｎにおいても同様である。そして、伝送路途中の子機通信装置２０−３が接続されるアダプタ１０−３は、ハイブリッドモードに設定されているので、分岐点でのインピーダンス不整合による信号反射のない状態で親機通信装置２０−１と通信することができる。
【００３８】
以上のように、この実施の形態２によれば、親機が伝送路の一端側に配置され、各子機が伝送路の他端側までにそれぞれ配置されるマルチドロップ通信システムにおいて実施の形態１に示したアダプタを適用した構成としたので、通信装置が終端抵抗器を有していても、伝送路途中の分岐点におけるアダプタをハイブリッドモードに設定してインピーダンスを整合させることができ、分岐による信号反射を抑制することができる。また、両端のアダプタを損失の少ないシングルモードに設定して信号損失を必要最小限に抑制することができる。
【００３９】
実施の形態３．
図３は、この発明の実施の形態３によるマルチドロップ通信システムの構成を示すシステム図である。この実施の形態３では、親機が伝送路の途中位置に配置され、各子機が伝送路の両端から親機の配置位置までにそれぞれ配置される場合を示す。なお、説明の便宜から、図３では、図２と同じ符号を用いている。
【００４０】
図３において、通信装置２０−３が親機である。これが接続されているアダプタ１０−３はシングルモードであり、そのポート１２に、伝送路左端側に向かうペアケーブル３０−２と伝送路右端側に向かうペアケーブル３０−３とが接続されている。また、伝送路最左端までのアダプタ１０−２，１０−１に接続される通信装置２０−２，２０−１はそれぞれ子機であり、伝送路最右端までのアダプタ１０−（ｎ−１），１０−ｎに接続される通信装置２０−（ｎ−１），２０−ｎはそれぞれ子機である。そして、伝送路両端のアダプタ１０−１，１０−ｎは、それぞれシングルモードに設定され、ここからアダプタ１０−３までの各アダプタ及びアダプタ１０−２は、それぞれハイブリッドモードに設定されている。
【００４１】
ここで、ハイブリッドモードのアダプタでは、ポート１１，１３とポート１０との間は信号の通りは良いが、ポート１３とポート１１との間ではアイソレーションが大きく、信号が通り難いという方向性があるので、親機通信装置２０−３が接続されるアダプタ１０−３をハイブリッドモードにして、ペアケーブル３０−２をポート１０に接続し、ペアケーブル３０−３をポート１１に接続すると、親機通信装置２０−３と伝送路右端側に配置される子機通信装置２０−（ｎ−１），２０−ｎとの通信が困難になる。
【００４２】
これに対して、アダプタ１０−３はシングルモードに設定し、そのポート１２に、左端側伝送路と右端側伝送路とを並列に接続する構成とし、伝送路左端側と伝送路右端側とにおけるハイブリッドモードアダプタのポート１０，１１を左右対称の関係にすれば、双方の伝送路における各子機と親機との間で支障なくマルチドロップ通信が可能になる。
【００４３】
このように、実施の形態１にて示したアダプタは、ハイブリッドモードとシングルモードとを選択設定できるので、親機がマルチドロップ伝送路のいずれの位置に存在しても、マルチドロップ通信が行えるシステムを構築することが可能になる。
【００４４】
実施の形態４．
図４は、この発明の実施の形態４によるマルチドロップ通信用アダプタの構成を示すブロック図である。この実施の形態４では、通信装置に代えて電力線通信装置を接続するマルチドロップ通信用アダプタについて説明する。なお、図４では、図１（実施の形態１）に示した構成要素と同一ないしは同等である構成要素には同一の符号が付されている。ここでは、この実施の形態４に関わる部分を中心に説明する。
【００４５】
電力線通信装置では、その送受信部に商用電源を供給する必要がある。そこで、図４に示すように、この実施の形態４によるマルチドロップ通信用アダプタ２０は、商用電源線が接続されるポート２１が追加され、このポート２１とポート１３との間に、ＬＰＦ（ローパスフィルタ：低域通過フィルタ）２２が介挿されている。また、トランス５とポート１３との間に、ＨＰＦ（ハイパスフィルタ：高域通過フィルタ）２３が介挿されている。そして、ポート１３は、電力線を介して或いは直接、電力線通信装置の送受信部に接続されることになる。なお、ポート２１は、請求項２における第５のポートに対応している。
【００４６】
次に、動作について説明する。ポート１３に接続される図示しない電力線通信装置の送受信部は、ポート２１から入力する商用電源がＬＰＦ２２を経由してポート１３から供給され、送受信動作可能状態になっている。この場合に、ポート１３とトランス５との間には、ＨＰＦ２３が介在するので、ＬＰＦ２２を経由してトランス５に向かう商用電源は、ＨＰＦ２３で遮断され、トランス５へは入力されない。
【００４７】
図示しない電力線通信装置の送受信部は、送信信号を商用電源に重畳してポート１３に送出する。ＨＰＦ２２は、この商用電源に重畳された信号成分を取り出してトランス５に与える。逆の経路では、モード切替回路６からトランス５に出力された信号は、ＨＰＦ２３からポート１３に向けて出力されるが、ＬＰＦ２２からポート１３に向けて商用電源が供給されているので、ＨＰＦ２３がポート１３に向けて出力する信号は、商用電源に重畳されて図示しない電力線通信装置の送受信部に入力される。
【００４８】
ここで、ＬＰＦ２２は、ポート１３での通信信号がポート２１へ伝達されるのを遮断している。つまり、ポート２１に接続される商用電源線には、通信信号が出力され難くなっている。また、ＬＰＦ２２は、通信で使用している信号と同じ周波数の外部雑音が商用電源に重畳していても、それがポート１３側に入り込むのを難しくしている。すなわち、ＬＰＦ２２は、商用電源線の伝送路特性、及び雑音の影響を受け難くしている。
【００４９】
以上のように、実施の形態４によれば、アダプタを、電力線通信装置を接続できるように構成し、かつ商用電源線の伝送路特性及び雑音の影響を受け難くする構成としたので、図２や図３に示したマルチドロップ通信システムにおいて、アダプタ１０−１〜１０−ｎに代えてこの実施の形態４によるアダプタを用い、通信装置２０−１〜２０−ｎに代えて電力線通信装置とすることが可能であり、同様の作用・効果が得られる。
【００５０】
実施の形態５．
実施の形態１（図１）や実施の形態４（図４）では、アダプタの好適な構成として、ハイブリッドモードとシングルモードの２つのモードを有する場合を示したが、この実施の形態５では、変形態様として、ハイブリッドモードのみを有するアダプタについて説明する。ハイブリッドモードのみを有するアダプタは、信号損失があるので、マルチドロップ通信システムに適用した場合、伝送特性は若干劣るが、同様に適用できるものである。
【００５１】
（１）第１の構成は、図１と図４に示した構成において、モード切替回路６とポート１２とを削除して、ハイブリッド回路２のポート１６を、トランス５を介してポート１３に接続した構成である。この構成では、図１と図４におけるポート１０，１１，１３が請求項５，６における第１，第２，第３の各ポートにそれぞれ対応し、図４におけるポート２１が請求項６における第４のポートに対応する。
【００５２】
この第１の構成によるアダプタを適用したマルチドロップ通信システムは、ハイブリッド回路２の４線側ポート１５，１６は、相互間が高いアイソレーションで分離され、相互間での信号交換はできないので、請求項９に示すように、親機である１台の通信装置または１台の電力線通信装置がペアケーブルで構成される伝送路の一端側に配置され、子機である複数台の通信装置または複数台の電力線通信装置が前記伝送路の他端側までにそれぞれ配置される構成となる。これは、図２に示した構成に相当する。
【００５３】
（２）第２の構成は、モード切替回路６を削除するとともに、ハイブリッド回路２のポートと外部接続用ポートとの関係を変更した図５、図６に示す構成である。図５は、図１に対応し、この発明の実施の形態５によるマルチドロップ通信用アダプタの構成（その１）を示すブロック図である。図６は、図４に対応し、この発明の実施の形態５によるマルチドロップ通信用アダプタの構成（その２）を示すブロック図である。
【００５４】
図５に示す通信装置用のアダプタ３０は、図１に示した構成において、モード切替回路６とポート１２とを削除してハイブリッド回路２のポート１６をトランス５に接続するとともに、ハイブリッド回路２のポート１５，１６がトランス４，５を介して伝送路の接続用ポート３１，３２に接続され、ハイブリッド回路２のポート１４がトランス３を介して通信装置の接続用のポート３３に接続される構成となっている。この構成では、ポート３１，３２，３３が請求項７における第１，第２，第３の各ポートにそれぞれ対応する。
【００５５】
また、図６に示す電力線通信装置用のアダプタ４０は、図４に示した構成において、モード切替回路６とポート１２とを削除してハイブリッド回路２のポート１６をトランス５に接続するとともに、ハイブリッド回路２のポート１５，１６がトランス４，５を介して伝送路の接続用ポート３１，３２に接続され、ハイブリッド回路２のポート１４がトランス３及びＨＰＦ２３を介して電力線通信装置の接続用のポート３３に接続され、商用電電線が接続されるポート４１がＬＰＦ２２を介してポート３３に接続される構成となっている。この構成では、ポート３１，３２，３３，４１が請求項８における第１，第２，第３，第４の各ポートにそれぞれ対応する。
【００５６】
図５、図６に示す構成によれば、図示しない通信装置または電力線通信装置からポート３３に入力される信号は、ハイブリッド回路２のポート１４からポート１５，１６に向けて等しく２分配され、ポート１５に分配された信号はポート３１から一方の伝送路へ送出され、ポート１６に分配された信号はポート３２から他方の伝送路へ送出される。
【００５７】
そして、ポート１５とポート１６との間では、高いアイソレーション処理が施されているので、ポート３１，３２からトランス４，５を介してポート１５，１６に入力した各信号は、ポート１４にのみ伝達される。ポート１４を出た信号は、トランス３を介してポート３３に接続される図示しない通信装置または電力線通信装置に伝達される。
【００５８】
このアダプタ３０，４０は、その構成上、親機とその片側に配置される子機との間の通信、或いは、親機とその両側に配置される子機との間の通信が行える形態となるので、単独ではマルチドロップ通信システムの構築はできないが、後述する（３）の形態で使用することができる。
【００５９】
（３）マルチドロップ通信システムの構成として、上記した（１）第１の構成のアダプタを適用した請求項９の構成の他に、請求項１０に示すように、親機には上記（２）第２の構成のアダプタを適用し、子機には上記（１）第１の構成のアダプタを適用する構成を採ることもできる。これは、図２と図３とに示した構成に相当する。
【産業上の利用可能性】
【００６０】
以上のように、この発明にかかるマルチドロップ通信用アダプタは、各通信装置が終端抵抗器を有していても、または、分岐点から通信装置までの距離が無視できない程度に相当に長い場合でも、分岐点でのインピーダンスを整合させて信号反射を抑制でき、伝送路の端部での信号損失を必要最小限に抑えることを可能にするマルチドロップ通信システムを構築するのに有用である。
【図面の簡単な説明】
【００６１】
【図１】この発明の実施の形態１によるマルチドロップ通信用アダプタの構成を示すブロック図である。
【図２】この発明の実施の形態２によるマルチドロップ通信システムの構成を示すシステム図である。
【図３】この発明の実施の形態３によるマルチドロップ通信システムの構成を示すシステム図である。
【図４】この発明の実施の形態４によるマルチドロップ通信用アダプタの構成を示すブロック図である。
【図５】この発明の実施の形態５によるマルチドロップ通信用アダプタの構成（その１）を示すブロック図である。
【図６】この発明の実施の形態５によるマルチドロップ通信用アダプタの構成（その２）を示すブロック図である。
【符号の説明】
【００６２】
１，２０  マルチドロップ通信用アダプタ（アダプタ）
２  ハイブリッド回路
３，４，５  トランス
６  モード切替回路
１０，１１，１２  伝送路接続用のポート
１３  通信装置・電力線通信装置を接続するポート
２１  商用電源線が接続される接続するポート
２２  ＬＰＦ
２３  ＨＰＦ
３０，４０  マルチドロップ通信用アダプタ（アダプタ）
３１，３２  伝送路接続用のポート
３３  通信装置・電力線通信装置を接続するポート
４１  商用電源線が接続される接続するポート
【図１】
2009130500.tif 000003
【図２】
2009130500.tif 000004
【図３】
2009130500.tif 000005
【図４】
2009130500.tif 000006
【図５】
2009130500.tif 000007
【図６】
2009130500.tif 000008